(57)【要約】【課題】筒部材の構造が簡単であり、その支持構造も簡潔で組立が容易な外壁パネルの貫通部用構造を提供する。【解決手段】外壁パネル１の貫通部を形成する箇所に、筒本体部３１と鍔部３２とを有し上記筒本体部３１が風道としての耐火性能を満たす肉厚（例えば１．６ｍｍ）の鋼材から成る筒部材３が、上記外壁パネル１の外壁板（外装ボード２３）と外壁下地板（上記珪酸カルシウムボード２２）との間に上記鍔部３２を挟ませて設けられている。【選択図】図２
2015094081.tif 000002
【特許請求の範囲】
【請求項１】
外壁パネルの貫通部を形成する箇所に、筒本体部と鍔部とを有し上記筒本体部が風道としての耐火性能を満たす肉厚の鋼材から成る筒部材が、上記外壁パネルの外壁板と外壁下地板との間に上記鍔部を挟ませて設けられていることを特徴とする外壁パネルの貫通部用構造。
【請求項２】
請求項１に記載の外壁パネルの貫通部用構造において、上記鍔部に設備取り付け用の螺子が螺合されることを特徴とする外壁パネルの貫通部用構造。
【請求項３】
請求項１または請求項２に記載の外壁パネルの貫通部用構造において、上記外壁下地板には分割部が形成されており、上記分割部は、上記筒部材の筒本体部が挿通する開口を有することを特徴とする外壁パネルの貫通部用構造。
【請求項４】
請求項３に記載の外壁パネルの貫通部用構造において、上記外壁パネルの内側面の下地板にも、上記筒部材の筒本体部の配置位置に対応した位置に開口を有した分割部が形成されており、この内側面の下地板の分割部と上記外壁下地板の分割部とがユニットになることを特徴とする外壁パネルの貫通部用構造。
【発明の詳細な説明】
【技術分野】
【０００１】
この発明は、耐火性能を満たす貫通部を外壁パネルに形成する外壁パネルの貫通部用構造に関する。
【背景技術】
【０００２】
従来は、図５に示すように、外壁パネル１０１の貫通部を形成する箇所に、筒支持枠１０２を設け、この筒支持枠１０２によって貫通部となる筒部材１０３を支持していた。上記筒支持枠１０２は、小さく切断された複数の溝型鋼を四角形に組んだものであり、上記外壁パネル１０１の上側の横枠材１０１ａに吊り下げられて固定される。
【０００３】
また、特許文献１には、建築物の防火区画を画成する、中間に空洞部を有する仕切り壁に形成された貫通孔を配管が貫通する防火区画貫通部構造において、前記貫通孔には、外周に熱膨張性材料からなるテープ状膨張体が巻き付けられた配管が貫通され、前記テープ状膨張体の外面には金属箔または金属箔を基材とする積層体が積層され、前記空洞部には前記金属箔または金属箔を基材とする積層体をのぞいて前記テープ状膨張体の外側方向への膨張を阻止する部材はなく、前記金属箔または金属箔を基材とする積層体は、火災時の熱による前記配管の焼失又は変形により生じた空隙を閉塞するように前記テープ状膨張体を膨張せしめることを特徴とする防火区画貫通部構造が開示されている。
【先行技術文献】
【特許文献】
【０００４】
【特許文献１】特許３８１７５３２号
【発明の概要】
【発明が解決しようとする課題】
【０００５】
しかしながら、上記従来の構造では、上記筒部材１０３の肉厚および上記筒支持枠１０２を構成する溝型鋼の肉厚により、風道に必要とされる耐火性能は十分に満たされるものの、細切れの溝型鋼を組み立てるのに時間を要するので作業効率が低いという問題があった。さらに、各住宅に合せて上記筒部材１０３の位置を変えようとすると、上記筒支持枠１０２がブレース１０１ｂと干渉するという欠点もあった。また、上記特許公報１に開示された技術では、上記筒支持枠１０２を用いないので上記のような問題は生じないが、筒部材の構造が複雑になる欠点がある。
【０００６】
この発明は、上記の事情に鑑み、筒部材の構造が簡単であり、その支持構造も簡潔で組立が容易な外壁パネルの貫通部用構造を提供することを課題とする。
【課題を解決するための手段】
【０００７】
この発明の外壁パネルの貫通部用構造は、上記の課題を解決するために、外壁パネルの貫通部を形成する箇所に、筒本体部と鍔部とを有し上記筒本体部が風道としての耐火性能を満たす肉厚の鋼材から成る筒部材が、上記外壁パネルの外壁板と外壁下地板との間に上記鍔部を挟ませて設けられていることを特徴とする。
【０００８】
上記の構成であれば、上記筒本体部は、風道としての耐火性能を満たす肉厚の鋼材から成るので不燃材の被覆等が不要で構造が簡単である。また、上記筒部材は、上記鍔部を上記外壁パネルの外壁板と外壁下地板との間に挟ませて設けられるので、その支持構造も簡潔で組立が容易である。また、溝型鋼からなる筒支持枠は用いないので、これとブレースとの干渉等の問題も生じない。
【０００９】
上記鍔部に設備取り付け用の螺子が螺合されてもよい。これによれば、上記螺子が上記鍔部に螺合されるので、上記螺子が上記外壁板或いは外壁下地板に螺合される場合に比べて、上記螺子の抜け難さが向上し、ファンやフードなどの設備を外壁パネルの外側にしっかりと取り付けることができる。
【００１０】
上記外壁下地板には分割部が形成されており、上記分割部は、上記筒部材の筒本体部が挿通する開口を有していてもよい。これによれば、上記分割部以外は共通の構成とし、個別の住宅仕様に合った位置に開口を有する分割部を作製しておいて、これを上記外壁パネルに取り付ければよいことになる。これは、１枚の大きな外壁下地板に対して個別の住宅仕様に合った位置に開口を形成するよりも、外壁パネルの組み立て効率が良くなる。
【００１１】
さらに、上記外壁パネルの内側面の下地板にも、上記筒部材の筒本体部の配置位置に対応した位置に開口を有した分割部が形成されており、この内側面の下地板の分割部と上記外壁下地板の分割部とがユニットになるようにしてもよい。これによれば、外壁パネルの組み立て効率が一層良くなる。また、ユニットになると、工場での組み立ては容易になることはもちろん、施工現場では下地加工を無くした下地組み付けとすることが可能であり、現場での作業負担を減らすことができる。
【発明の効果】
【００１２】
本発明であれば、筒部材の構造が簡単であり、その支持構造も簡潔で組立が容易である等の諸効果を奏する。
【図面の簡単な説明】
【００１３】
【図１】この発明の実施形態の外壁パネルのフレーム構造および貫通部用構造の形成位置を室外視と室内視とにより示した説明図である。
【図２】図１の貫通部用構造の形成位置を含む外壁パネルの概略の横断面図である。
【図３】図１の貫通部用構造における筒部材を示した平面図および背面図である。
【図４】筒部材の他の例を示した平面図および正面図である。
【図５】従来の貫通部用構造を室外視と室内視とにより示した説明図である。
【発明を実施するための形態】
【００１４】
以下、この発明の実施の形態を添付図面に基づいて説明する。
図１および図２に示すように、この実施形態の外壁パネル１のフレーム１１は、左右の縦フレーム１１ａと上下の横フレーム１１ｂと縦中桟１１ｃと横中桟１１ｄとを備える。また、このフレーム１１には、ブレース１２が設けられている。
【００１５】
上記外壁パネル１のフレーム１１の外面側には、不燃または準不燃性のグラスウールボード２１が貼り付けられており、このグラスウールボード２１には不燃または準不燃性の珪酸カルシウムボード２２が貼り付けられている。そして、上記珪酸カルシウムボード２２に外装ボード（外壁板）２３が貼り付けられている。上記グラスウールボード２１および上記珪酸カルシウムボード２２には鋼製の筒部材３の筒本体部（鋼製スリーブ管）３１が挿入できる大きさの貫通穴が形成されている。また、上記外装ボード２３には、上記筒本体部３１の直径よりも大きくて上記筒部材３の鍔部３２の直径よりも小さい開口２３ａが形成されている。上記筒部材３は、上記筒本体部３１を上記貫通穴に通すとともに上記鍔部３２を上記外壁パネル１における上記外装ボード２３と上記珪酸カルシウムボード（外壁下地板）２２との間に挟ませて設けられる。上記鍔部３２は接着剤によって上記珪酸カルシウムボード２２に固定されてもよい。
【００１６】
上記外壁パネル１のフレーム１１の内面側には、当該フレーム１１の縦フレーム１１ａおよび縦中桟１１ｃに沿って断面矩形状の不燃または準不燃性の硬質木片セメント角材２４が取り付けられている。そして、上記硬質木片セメント角材２４上に不燃または準不燃性の硬質木片セメントボード２５が設けられ、この硬質木片セメントボード２５上に不燃または準不燃性の石こうボード２６が貼り付けられている。上記硬質木片セメントボード２５には、上記筒本体部３１の配置に対応した位置に、当該筒本体部３１と略同径の開口２５ａが形成されている。
【００１７】
上記筒部材３は、図３にも示すように、上記鍔部３２が上記筒本体部３１の外側の端面から例えば１１ｍｍ程度離れた位置に溶接等により固定された構造を有する。上記筒本体部３１は、例えば１．６ｍｍの肉厚（鋼板厚）を有しており、これ単体で防火区画を貫通する風道に要求される耐火性能を満たす。なお、この耐火性能を満たすためには、鋼板厚が１．５ｍｍ以上であることが必要とされる。また、上記鍔部３２の肉厚（鋼板厚）は例えば０．５ｍｍ程度であり、上記筒本体部３１の肉厚よりも薄くされている。上記鍔部３２にはファンやフードなどの設備（図２の二点鎖線参照）の取り付け用の螺子４を下穴無しで螺合することができる。
【００１８】
また、上記筒本体部３１の直径（内径）は例えば１００ｍｍ程度であり、長さは９５ｍｍ程度である。そして、上記鍔部３２の直径は例えば１５０ｍｍ程度である。この実施形態では、上記鍔部３２の幅は２５ｍｍ程度となるが、このような寸法に限られるものではなく、当該鍔部３２を面材で挟むことで上記筒部材３の良好な支持が行える幅寸法であればよい。もちろん、上記螺子４が螺着されることを考慮し、上記良好な支持が行える幅寸法を越える寸法とするようにしてもよい。
【００１９】
また、上記筒本体部３１の内側端にはテーパー部が形成されており、室内側から装着されるスリーブ（塩化ビニールパイプ等）を上記筒本体部３１内に入れやすくなっている。このような配管工事を行うときには、作業者が上記石こうボード２６に設計図面にしたがって貫通穴を開けることになる。なお、上記筒本体部３１が上記石こうボード２６に至り、当初から上記石こうボード２６に開口が存在する構成とすることもできる。
【００２０】
また、この実施形態では、上記グラスウールボード２１および上記珪酸カルシウムボード２２は、分割部２１Ａ、２２Ａを有しており、上記分割部２１Ａ、２２Ａは、上記筒部材３の筒本体部３１が挿通する開口を有し、上記外壁パネル１の縦中桟１１ｃから縦フレーム１１ａに横に掛け渡されている。
【００２１】
さらに、上記外壁パネル１の内側面の下地板である硬質木片セメントボード２５にも、上記筒部材３の筒本体部３１の配置位置に対応した位置に開口２５ａを有した分割部２５Ａが形成されており、この分割部２５Ａと上記外壁下地板である分割部２１Ａ、２２Ａとがユニットになる。
【００２２】
上記の構成であれば、上記筒部材３は、風道としての耐火性能を満たす肉厚の鋼材から成るので不燃材の被覆等が不要で構造が簡単である。また、上記筒部材３は上記鍔部３２を上記外壁パネル１の外壁板（外装ボード２３）と外壁下地板（珪酸カルシウムボード２２）との間に挟ませて設けられるので、その支持構造も簡潔で組立が容易である。また、溝型鋼からなる筒支持枠は用いないので、これとブレース１２との干渉等の問題も生じない。
【００２３】
上記鍔部３２に設備取り付け用の螺子４が螺合できると、上記螺子４が上記外壁板或いは外壁下地板に螺合される場合に比べて、上記螺子４の抜け難さが向上し、ファンやフードなどの設備を外壁パネル１の外側にしっかりと取り付けることができる。なお、上記螺子４は上記外壁板（外装ボード２３）の上から上記鍔部３２に螺合させることができる。
【００２４】
また、この実施形態では、上記外壁下地板（グラスウールボード２１および珪酸カルシウムボード２２）は分割部２１Ａ、２２Ａを有しており、上記分割部２１Ａ、２２Ａは、上記筒部材３の筒本体部３１が挿通する開口を有し、上記外壁パネル１の縦中桟１１ｃから縦フレーム１１ａに横に掛け渡されていているので、上記分割部以外は共通の構成とし、個別の住宅仕様に合った位置に開口を有する分割部２１Ａ、２２Ａを作製しておいて、これを上記外壁パネル１の縦中桟１１ｃから縦フレーム１１ａに横に掛け渡せばよくなる。これは、１枚の大きな外壁下地板に対して個別の住宅仕様に合った位置に開口を形成するよりも、組み立ての効率が良い。
【００２５】
さらに、上記外壁パネル１の内側面の下地板（硬質木片セメントボード２５）にも、上記筒部材３の筒本体部３１の配置位置に対応した位置に開口２５ａを有した分割部２５Ａが形成されており、この内側面の下地板の分割部２５Ａと上記外壁下地板の分割部２１Ａ、２２Ａとがユニットになると、外壁パネル１の組み立て効率が一層良くなる。また、このようにユニットになると、工場での組み立ては容易になることはもちろん、施工現場では下地加工を無くした下地組み付けとすることが可能であり、現場での作業負担を減らすことができる。
【００２６】
図４は蓋部３３を有する筒部材３を示している。上記蓋部３３は筒本体部３１の外側端に形成された内鍔部３１ｂの螺子留め箇所３１ｃに螺子３４によって装着される。この蓋部３３を有する筒部材３は、例えば、取り付けが任意のエアコンディショナーなどの室外配管において蓋部３３を外して用いられる。なお、図４に示した蓋なしの筒部材３は、常に風道として用いられる。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２８】
１      外壁パネル
１１    フレーム
１１ａ  縦フレーム
１１ｂ  横フレーム
１１ｃ  縦中桟
１１ｄ  横中桟
１２    ブレース
２１    グラスウールボード（外壁下地板）
２２    珪酸カルシウムボード（外壁下地板）
２５    硬質木片セメントボード（内側面の下地板）
３      筒部材
３１    筒本体部
３２    鍔部
４      螺子
【図１】
2015094081.tif 000003
【図２】
2015094081.tif 000004
【図３】
2015094081.tif 000005
【図４】
2015094081.tif 000006
【図５】
2015094081.tif 000007